(57)【要約】【課題】発光素子の発光面積より狭い発光装置の光出射面を有する発光装置の製造方法であって、光出射面の面積の制御が容易な方法を提供する。【解決手段】本発明に係る製造方法は、発光素子と、前記発光素子の上面を被覆する蛍光体含有層と、前記発光素子の側面及び前記蛍光体含有層の側面を被覆する光反射部材と、を含み、前記蛍光体含有層の上面は、前記蛍光体含有層の下面よりも小さい発光装置を製造する方法であって、１）上面視において、前記蛍光体含有層の下面が前記発光素子の上面に収まるように、前記蛍光体含有層を形成する工程と、２）少なくとも、前記蛍光体含有層の側面と前記発光素子の側面とを、光反射部材で被覆する工程と、３）前記光反射部材の上部と前記蛍光体含有層の上部を除去し、光出射面となる前記蛍光体含有層の上面を、前記光反射部材の上面と略面一に露出させる工程と、を含むことを特徴とする。【選択図】図１
2018006780.tif 000002
【特許請求の範囲】
【請求項１】
電極を備えた発光素子と、
前記発光素子の上面に、接着剤を介して配置された蛍光体含有層と、
前記発光素子の側面及び前記蛍光体含有層の側面を被覆する光反射部材と、を含み、
前記蛍光体含有層の断面形状は、下面から上面に向かって一旦広がった後に狭くなった形状を備えることを特徴とする発光装置。
【請求項２】
前記蛍光体含有層は、側面が粗面である、請求項１に記載の発光装置。
【請求項３】
前記蛍光体含有層は、下面が平坦な面である、請求項１又は請求項２に記載の発光装置。
【請求項４】
前記蛍光体含有層は、蛍光体層と、透明層とを含む、請求項１〜請求項３のいずれか一項に記載の発光装置。
【請求項５】
前記蛍光体層は、略均一な厚さである、請求項４記載の発光装置。
【請求項６】
前記蛍光体層は、外縁部で厚さが薄く、中心側で厚い、請求項４記載の発光装置。
【請求項７】
前記蛍光体層は、前記蛍光体含有層の下面全体に存在する、請求項４〜請求項６のいずれか一項に記載の発光装置。
【請求項８】
前記蛍光体層は、その外縁部が、前記蛍光体含有層の外縁部から離間している、請求項４〜請求項６のいずれか一項に記載の発光装置。
【請求項９】
前記蛍光体含有層は、ＹＡＧ蛍光体を含む、請求項１〜請求項８のいずれか一項に記載の発光装置。
【請求項１０】
前記蛍光体含有層は、ＫＳＦ蛍光体を含む、請求項１〜請求項９のいずれか一項に記載の発光装置。
【請求項１１】
前記蛍光体含有層は、ＬＡＧ蛍光体を含む、請求項１〜請求項１０のいずれか一項に記載の発光装置。
【請求項１２】
前記発光装置は、さらに、配線及び絶縁性材料からなる基体を備えた支持基板を備える、請求項１〜請求項１１のいずれか一項に記載の発光装置。
【請求項１３】
前記発光装置は、前記電極よりも面積が広い配線を備える、請求項１〜請求項１２のいずれか一項に記載の発光装置。
【発明の詳細な説明】
【技術分野】
【０００１】
本発明は発光装置の製造方法に関し、特に、バックライト用途に適した発光装置の製造方法に関する。
【背景技術】
【０００２】
液晶などのバックライトとして、発光装置と導光板を組み合わせたエッジ型バックライトが知られている。エッジ型バックライトでは、発光装置の光を導光板に入射させる必要があるが、現在はバックライトの薄型化が望まれているため、導光板も薄型化が進んでいる。したがって、薄型の導光板に光を効率的に入射させるために、発光装置(特に、発光装置の光出射面)も小型化する必要がある。
【０００３】
ところで、エッジ型バックライトとして好適に用いられる発光装置として、例えばサイドビュー型発光装置が知られている。典型的なサイドビュー型発光装置としては、反射性材料から形成されたハウジングの凹部内に半導体発光素子を収納したものが挙げられる。
【０００４】
しかし、ハウジングを備えた発光装置は薄型化することが難しい。そこで、ハウジングを備えていない発光装置として、発光素子を反射性材料で直接被覆したものが開示されている（例えば、特許文献１）。特許文献１では、青色発光素子の上面に、黄色蛍光体を含有する板状の透光性部材が載置され、その透光性部材の上面を発光装置の光出射面としたものが例示されている。そして、透光性部材の下面の面積を、発光素子の上面の面積よりも大きくすることで、発光素子からの熱を発光装置の外部に効率的に放出させている。
【０００５】
さらに、側面が曲面で上面が平坦な波長変換層を備えた発光ダイオードパッケージも知られている（例えば、特許文献２）。特許文献２では、発光ダイオードチップ上の波長変換層の上面を、粘度の高い蛍光体含有樹脂を塗布及び硬化することで平坦に形成している。そして、光反射層が発光ダイオードチップの側面及び波長変換層の側面のみを被覆することで、波長変換層の平坦な上面を露出させて光出射面としている。
【先行技術文献】
【特許文献】
【０００６】
【特許文献１】特開２０１０−２７２８４７号公報
【特許文献２】特開２０１１−２２８７０３号公報
【発明の概要】
【発明が解決しようとする課題】
【０００７】
しかしながら、特許文献１の発光装置では、光出射面が発光素子の発光面積よりも大きくなるため、薄い導光板と組み合わせて使用することが考慮されていない。
特許文献２では、発光ダイオードパッケージの光出射面である波長変換層の上面は、発光ダイオードチップの上面よりも面積が小さいので、発光ダイオードパッケージの光出射面は発光ダイオードチップの発光面積よりも狭くなる。
しかしながら、特許文献２に開示された発光装置の製造方法では、光出射面を露出させることが困難である。すなわち、光出射面を露出させるために、波長変換層の側面及び発光ダイオードチップの側面を光反射層で被覆し、且つ平坦な波長変換層の上面が光反射層で被覆されないように、光反射層の充填を高い精度で制御する必要がある。
【０００８】
そこで、本発明は、発光素子の発光面積より狭い発光装置の光出射面を有する発光装置の製造方法であって、光出射面の面積の制御が容易な方法を提供することを目的とする。
【課題を解決するための手段】
【０００９】
本発明に係る製造方法は、
電極を備えた発光素子と、
前記発光素子の上面に、接着剤を介して配置された蛍光体含有層と、
前記発光素子の側面及び前記蛍光体含有層の側面を被覆する光反射部材と、を含み、
前記蛍光体含有層の断面形状は、下面から上面に向かって一旦広がった後に狭くなった形状を備える。
【発明の効果】
【００１０】
本発明に係る製造方法によれば、蛍光体含有層の側面と前記発光素子の側面とを光反射部材で被覆した後に、光反射部材の上部と前記蛍光体含有層の上部とを除去して、光反射部材の平坦な上面を形成している。よって、当該平坦な上面が光反射部材によって被覆されることはない。さらに、蛍光体含有層の側面が光反射部材から露出しないため、蛍光体含有層の上面のみを光出射面とすることができる。
このように、本発明の製造方法によれば、光出射面である蛍光体含有層の上面の面積を容易に制御することができる。
【図面の簡単な説明】
【００１１】
【図１】実施形態１に係る発光装置を示しており、（ａ）は概略上面図、（ｂ）は、（ａ）のＡ−Ａ線における概略断面図である。
【図２】図１（ｂ）の破線Ｂで囲まれた部分の概略部分拡大断面図である（ａ〜ｃ）。
【図３】（ａ）は、発光素子の上に設けられた蛍光体含有層の概略上面図、（ｂ）は概略斜視図である。なお、図３では、発光素子の上面と蛍光体含有層の下面の具体的な関係を示すために、光反射部材は省略している。
【図４】（ａ）は、発光素子の上に設けられた蛍光体含有層の概略上面図、（ｂ）は概略斜視図である。なお、図４では、発光素子の上面と蛍光体含有層の下面の具体的な関係を示すために、光反射部材は省略している。
【図５】実施形態１に係る発光装置の変形例である（ａ〜ｂ）。
【図６】実施形態１に係る発光装置を用いたバックライトの概略図である。
【図７】実施形態１に係る発光装置の製造方法を説明するためのフローチャートである。
【図８】実施形態１に係る発光装置の製造方法を説明するための概略断面図である。
【図９】実施形態１に係る発光装置の製造方法を説明するための概略断面図である。
【図１０】実施形態１に係る発光装置の製造方法を説明するための概略断面図である。
【図１１】実施形態１に係る発光装置の変形例である。
【図１２】実施形態１に係る発光装置の変形例である（ａ、ｂ）。
【発明を実施するための形態】
【００１２】
以下、図面に基づいて本発明の実施形態を詳細に説明する。なお、以下の説明では、必要に応じて特定の方向や位置を示す用語（例えば、「上」、「下」、「右」、「左」及び、それらの用語を含む別の用語）を用いる。それらの用語の使用は図面を参照した発明の理解を容易にするためであって、それらの用語の意味によって本発明の技術的範囲が限定されるものではない。また、複数の図面に表れる同一符号の部分は同一の部分又は部材を示す。
【００１３】
＜実施形態１＞
図１に示される本実施形態に係る発光装置１１は、主に、導光板９１と組み合わせてバックライト９０を構成するのに適している（図６）。この発光装置１１は、蛍光体含有層３０及び光反射部材４０の構成によって、発光装置１１の光出射面（蛍光体含有層３０の上面３０ａに相当）の面積が発光素子２０の発光面の面積よりも小さくなっている。すなわち、発光素子２０の発光面（より正確には、発光素子２０内の活性層の面積）を大きくしつつ、発光装置１１の光出射面の面積を小さくすることができる。これにより、光学レンズ等の光学機器を使用することなしに、発光装置１１の光を薄型の導光板へ効率よく入射させることができる。
以下に本実施形態に係る発光装置１１について詳述する。
【００１４】
図１〜図４に示す本実施形態に係る発光装置１１は、支持基板８０の上面８０ａに配置された発光素子２０と、その発光素子２０の上面２０ａに設けられた蛍光体含有層３０とを含んでいる。蛍光体含有層３０は、発光素子２０の上面２０ａを被覆している下面３０ｂと、下面３０ｂより小さい面積を有する上面３０ａと、を備えている。蛍光体含有層３０の下面３０ｂは、発光素子２０の上面２０ａに収まるように、当該上面２０ａを被覆している（図３（ａ）、（ｂ）、図４（ａ）、（ｂ））。つまり、蛍光体含有層３０の下面３０ｂの面積は、発光素子２０の上面２０ａの面積以下で、且つ蛍光体含有層３０の下面３０ｂの全面が、発光素子２０の上面２０ａ上に位置している。
【００１５】
蛍光体含有層３０の下面３０ｂと発光素子２０の上面２０ａとの具体的な関係を、図３、図４を参照して説明する。なお、図３、図４では、発光素子２０の上面２０ａと蛍光体含有層３０の下面３０ｂとの具体的な関係を示すために、光反射部材４０は省略している。
図３では、上面視において、蛍光体含有層３０の下面３０ｂは発光素子２０の上面２０ａと略同一寸法で略同一形状を有しており、蛍光体含有層３０の下面３０ｂと発光素子２０の上面２０ａとは、互いに略全面を被覆している。このように、発光素子の上面２０ａと蛍光体含有層の下面３０ｂとが、略同一寸法且つ略同一形状を有し、それらが略全面にわたって重なっていると、発光素子２０の出射光が発光素子の上面２０ａの幅以上に広がることを抑制でき、且つ確実に波長変換できるため好ましい。
【００１６】
しかし、蛍光体含有層の下面３０ｂは、発光素子の上面２０ａの全面を被覆していなくてもよく、少なくとも発光素子の上面２０ａに収まる程度の大きさであればよい。例えば、図４に示されるように、上面視において略矩形の発光素子２０の上面２０ａに、略楕円形状の下面３０ｂを有する蛍光体含有層３０が配置されるような場合、発光素子の上面２０ａの一部（図４では、上面２０ａの４つの隅部２０ｅ）は蛍光体含有層３０によって実質的に被覆されていなくてもよい。ここで、「実質的に被覆されていない」とは、発光素子の上面２０ａの一部が、蛍光体含有層３０で被覆されていない形態と、非常に薄い蛍光体含有層３０によって被覆されているが、視認したときに被覆されていないように見える形態とを含む。
【００１７】
図１（ｂ）に示すように、発光素子２０の側面２０ｃと蛍光体含有層３０の側面３０ｃは、光反射部材４０（光反射性成形体４１と反射膜４２）によって被覆されている。本実施形態において「蛍光体含有層３０の側面３０ｃ」とは、蛍光体含有層３０の表面のうち、蛍光体含有層３０の下面３０ｂ（発光素子２０の上面２０ａを被覆している面）と、光反射部材４０から露出する略平坦な上面３０ａ（発光装置１１の光出射面となる面）とを除いた面を指す。
発光素子２０の側面２０ｃと蛍光体含有層３０の側面３０ｃとを光反射部材４０で被覆することにより、発光素子２０からの光は、主に、光反射部材４０で被覆されていない「蛍光体含有層３０の上面３０ａ」から出射される。つまり、発光装置１１の光出射面は、蛍光体含有層３０の上面３０ａとなる。
【００１８】
なお、発光素子２０の上面２０ａの一部（例えば図４の隅部２０ｅ）が蛍光体含有層３０の下面３０ｂで被覆されない場合、発光素子２０の側面２０ｃだけでなく、上面２０ａの当該一部（例えば隅部２０ｅ）も、光反射部材４０によって被覆される。
また、光反射部材４０の厚さが薄い場合、発光素子２０からの光の一部が光反射部材４０を透過して外部に漏れ出すことがある。しかし、発光の多くは光反射部材４０を透過せずに反射されるので、発光装置１１を使用する上では殆ど問題にならない。また、蛍光体含有層３０の上面３０ａから出射される光のみならず、光反射部材４０を透過する光も導光板９１に取り込むことができると、発光装置１１の出力を向上させることができる。さらに、光反射部材４０から透過する光が導光板９１に取り込まれることで、混色されて色むらが抑制される。
【００１９】
以上のように、蛍光体含有層３０の上面３０ａが下面３０ｂよりも小さく、蛍光体含有層３０の下面３０ｂが、発光素子２０の上面２０ａよりも小さく且つ上面２０ａに収まるように配置され、発光素子２０の側面２０ｃ及び蛍光体含有層３０の側面３０ｃが光反射部材４０で被覆されることにより、発光装置１１の光出射面を、発光素子２０の発光面よりも小さくすることができる。つまり、発光装置１１から出射される光は、狭い光出射面から出射するので、薄型の導光板９１であっても効率よく光を入射させることができる。
【００２０】
蛍光体含有層３０の側面３０ｃは、蛍光体含有層３０の下面３０ｂから上面３０ａへ内向きに傾斜させることができる。すなわち、下面３０ｂより上面３０ａが小さくなるように、側面３０ｃの一部又は全部を内向きに傾斜させることができる。一例としては、側面３０ｃは、下面３０ｂから上面３０ａに向かって内向きに傾斜させることができる（図１（ｂ）等）。なお、本明細書において「内向き」とは、蛍光体含有層３０の上面３０ａの中心を通り、当該上面３０ａと垂直方向（ｚ軸方向）に延びる軸Ｃに向かう方向を指す（図１（ｂ）、図３（ｂ）、図４（ｂ））。
【００２１】
蛍光体含有層３０の側面３０ｃを、下面３０ｂから上面３０ａへ向きに傾斜させる場合、側面３０ｃが外側に凸状の曲面であるのが好ましい（図１（ｂ））。側面３０ｃが外側に凸状の曲面であると、側面３０ｃを被覆する光反射部材４０が凹状曲面となるため、光の集光効果を高めることができる。すなわち、側面３０ｃを被覆する光反射部材４０を、光を効率的に上方へ反射させることが可能な反射面として機能させることができる。また、外側に凸状の曲面であれば、表面張力を用いて形成できるので、蛍光体含有層３０を形成する際に金型等を使用せずに効率的に形成できる点でも有利である。
【００２２】
光反射部材４０の上面（光反射性成形体４１の上面４１ａ、反射膜４２の上面４２ａ）と、蛍光体含有層３０の上面３０ａとは、略面一に形成されている（図１（ｂ））。これにより、蛍光体含有層３０の側面３０ｃから光が漏れるのを抑制し、且つ蛍光体含有層３０の上面３０ａが光反射部材４０で被覆されるのを回避し、光出射面を確実に露出させることができる。
【００２３】
なお、前述のような光反射部材４０の上面と略面一な蛍光体含有層３０の上面３０ａは、後述するように、例えば切削等で蛍光体含有層３０及び光反射部材４０の上部を一括して除去することで形成できる。切削の際には、切削面（蛍光体含有層３０の上面３０ａ及び光反射部材４０の上面４１ａ）に微細な凹凸が発生し得る。蛍光体含有層３０の上面３０ａ（発光装置１１の光出射面に相当）が、切削に起因するこのような凹凸を有していると、光の取り出しを向上させることができる。
【００２４】
また、蛍光体含有層３０の側面３０ｃが、上述のように表面張力を用いて形成されている場合は、当該側面３０ｃは極めて滑らかである（つまり、表面粗さが小さい）。そのため、側面３０ｃを被覆する光反射部材４０の内面（蛍光体含有層３０と直接接している面であって、光反射面として機能する）も、側面３０ｃと同程度の滑らかな面となり、発光素子２０からの光を効率的に反射させることができる。
よって、蛍光体含有層３０は、上面３０ａの表面粗さが側面３０ｃの表面粗さよりも大きいと、側面３０ｃを覆う光反射部材４０の光反射面の光反射効率を高くしつつ、上面３０ａからの光取出しの効率を高くすることができる。
【００２５】
図２に示されるように、蛍光体含有層３０は、透光性の基材３６と、基材３６に含有された蛍光体３５とを含んでいる。基材３６は、透光性の材料であれば特に限定されないが、例えばガラスなどの無機材料、樹脂などの有機材料を使用することができる。特に、基材３６が樹脂であると、硬化前の液状樹脂の表面張力により、容易に発光素子２０の上面２０ａに収まる蛍光体含有層３０を形成することができる。蛍光体３５を基材３６に含有させる際には、基材３６全体に蛍光体３５を分散させることもできるが（図２（ａ））、蛍光体３５を含有する蛍光体層３１と、蛍光体３５を殆ど含有していない基材３６から成る透明層３２とを含む蛍光体含有層３０とすると好ましい。
【００２６】
蛍光体３５は光を散乱させ得るので、蛍光体含有層３０に蛍光体３５が分散していると（特に上面３０ａ側に存在していると）、上面３０ａから出射する際に光を散乱させてしまう。そのような発光装置をバックライト用光源に使用すると、発光装置１１の光が散乱して広がることで、導光板９１への入射効率が低下し得る。
一方、蛍光体３５を含む蛍光体層３１を蛍光体含有層３０の下面３０ｂ側に配置し、上面３０ａ側には蛍光体３５を実質的に含まない透明層３２を配置することにより、蛍光体含有層３０の下面３０ｂ側で光の波長変換を行うことができ、且つ上面３０ａ側での光散乱を抑制することができる。これにより、発光装置１１の光を効率的に波長変換できるとともに、導光板９１へ効率よく入射させることができる。
【００２７】
なお、透明層３２は、基材３６中で蛍光体３５を沈降させることで形成される、蛍光体３５を殆ど含まない基材３６から形成することができる。その場合、透明層３２は微量の蛍光体３５を含んでいてもかまわない。透明層３２に含まれる蛍光体３５の含有量が十分に少なく、発光装置１１の入射効率を著しく低下させることがなければ、蛍光体３５を実質的に含んでいないと見なすことができる。
【００２８】
蛍光体層３１は、図２（ｂ）に示すように略均一な厚さとすることにより、蛍光体層３１を通過する光を全体的に略均一な色にすることができる。一方、図２（ｃ）に示すように、蛍光体層３１を部分的に薄くする（場合によっては、部分的に蛍光体層３１を形成しない）ことにより、十分に波長変換されずに蛍光体層３１を通過する光の割合を多くすることもできる。図２（ｃ）では、蛍光体層３１の外縁部で蛍光体層３１の厚さが薄く、蛍光体層３１の中心側で厚くなっている。
なお、図２（ｃ）では、蛍光体層３１は、蛍光体含有層３０の下面３０ｂ全体に存在する。しかし、蛍光体層３１の外縁部が、蛍光体含有層３０の外縁部から離間していても（すなわち、蛍光体含有層３０の外縁部より内側までしか延在していなくても）よい。その場合には、蛍光体含有層３０の下面３０ｂの一部（外縁部）には、透明層３２が配置される。
【００２９】
蛍光体層３１の形態に起因する発光装置１１の発光色の色むらについて検討する。
図２（ｃ）のように、発光装置１１に含まれる蛍光体層３１の厚さが均一ではない場合、蛍光体層３１の中央付近（蛍光体層３１が相対的に厚い部分）を通過する光と、蛍光体層３１の外縁部（蛍光体層３１が相対的に薄い部分）を通過する光とでは、蛍光体３５によって波長変換される光の割合が異なる。また、蛍光体含有層３０の下面３０ｂの一部（例えば外縁部）に透明層３２が配置される場合には、その一部を通過した光は、蛍光体層３１を通過しないので、波長変換されない。そのため、蛍光体含有層３０の内部には、色むらが生じ得る。しかしながら、色むらのある光の一部は、蛍光体含有層３０を覆う光反射部材４０の内面で反射されて蛍光体層３１を再度通過して、十分な波長変換が行われることにより、発光装置１１の光出射面から出射される際には、色むらは緩和又は解消され得る。さらに、色むらのある光が光反射部材４０の内面で反射されて混色されることにより、発光装置１１の光出射面から出射される際には、色むらは緩和又は解消され得る。
【００３０】
また、前述のように、光反射部材４０が薄いことによって光の一部が（光反射部材４０の内面で反射されずに）光反射部材４０を透過しうる。この透過する光が、（十分に）波長変換されていない光であった場合には、発光装置１１からの出射光には、色むらが生じ得る。しかしながら、このような発光装置１１であっても、導光板９１と組み合わせてバックライト９０として使用することにより（図６）、導光板９１内を伝播する間に混色されて、色むらが解消され得る。
【００３１】
次に、図１及び図５を参照しながら、光反射部材４０について詳述する。
図１（ｂ）に示す発光装置１１では、光反射部材４０は、反射膜４２と光反射性成形体４１の２部材を積層して形成されている。反射膜４２は、光の反射率の高い材料から形成することにより、薄膜であっても光を効率よく反射させることができる。反射膜４２が絶縁性材料から成ると、発光素子２０の側面２０ｃに反射膜４２を直接形成することができるので好ましい。反射膜４２が金属材料から成ると、光の反射率の高い材料を使用できる点で好ましい。しかしながら、後述するように、反射膜４２を発光素子２０の側面２０ｃ及び蛍光体含有層３０の側面３０ｃを全て被覆するように形成する場合は、金属材料から成る反射膜４２を発光素子２０の側面２０ｃに直接形成すると発光素子２０を短絡させてしまう。金属材料から成る反射膜４２を設ける場合には、発光素子２０の側面２０ｃを、例えば透光性の絶縁膜等（例えばＳｉＯ２等）で被覆してから設けると、発光素子２０の短絡を防止することができる。
【００３２】
図１（ｂ）に示す発光装置１１では、発光素子の側面２０ｃに形成された反射膜４２が、光反射性成形体４１で被覆されている。これにより、反射膜４２から光漏れがあった場合でも、さらに外側の光反射性成形体４１によって確実に反射することができる。また、光反射性成形体４１は、発光素子２０等を保護する保護部材としても機能しうる。
光反射部材４０が、反射膜４２及び光反射性成形体４１を含んでいる場合、反射膜４２は光反射性成形体４１よりも高い光反射率を有していると、光反射性成形体４１を比較的薄くしても、光漏れを十分に抑制することができる。
なお、光反射性成形体４１が樹脂を含んでいる場合は、強い熱や光に比較的弱い。したがって、光反射性成形体４１が発光素子２０の側面２０ｃに直接形成されると、発光素子２０で発生した熱及び光により、光反射性成形体４１が変色・劣化する可能性がある。ここで、発光素子２０と光反射性成形体４１との間に反射膜４２を有することで、光反射性成形体４１の変色や劣化を抑制することができる。
【００３３】
別の形態として、図５（ａ）に示す発光装置１２では、光反射部材４０は光反射性成形体４１のみから形成されている。この形態では、反射膜４２を形成する工程を省略できる点で有利である。ここで、蛍光体含有層３０の基材が樹脂である場合、光反射性成形体４１の基材も樹脂であると、両部材の密着性が向上するので好ましい。さらに、後述するように、蛍光体含有層３０と光反射部材４０の上部を除去することで蛍光体含有層３０の上面３０ａを露出させる場合、除去される蛍光体含有層３０及び光反射部材４０の基材が同じであると、切削等による除去がしやすい。
また、図５（ｂ）に示す発光装置１３では、光反射部材４０は反射膜４２のみから形成されている。この形態では、光反射部材４０を薄くできるので、発光装置を小型化するのに有利である。
なお、本実施形態では、光反射部材４０として１層構造（図５（ａ）、（ｂ））及び２層構造（図１（ｂ））を開示したが、これに限定されず、３層以上から構成された光反射部材４０（例えば、２層の反射膜４２の間に１層の光反射性成形体４１を配置した３層構造や、２層の光反射性成形体４１の間に１層の反射膜４２を配置した３層構造等の積層構造を有する光反射部材４０）とすることもできる。また、２層構造の光反射部材４０の例示として、図１（ｂ）には、発光素子２０−反射膜４２−光反射性成形体４１の順に積層された構成（すなわち、発光素子２０と光反射性成形体４１との間に反射膜４２が配置された構成）を示したが、発光素子２０−光反射性成形体４１−反射膜４２の順に積層された構成（すなわち、発光素子２０と反射膜４２との間に光反射性成形体４１が配置された構成）としてもよい。
【００３４】
発光素子２０は、基板（例えばサファイア基板）上に、半導体積層体（ｎ側半導体層、活性層、及びｐ側半導体層を順次積層したもの）を備えたものを用いることができる。発光素子２０への通電は、半導体積層体側に設けた正負の電極２３（２３ａ、２３ｂ）から行われる（図１（ｂ））。
発光素子２０を支持基板８０に実装するときは、発光素子２０の基板側を支持基板８０に実装する実装形態（いわゆるフェースアップ実装）とすることも、発光素子２０の半導体積層体側を支持基板８０に実装する実装形態（いわゆるフリップチップ実装）とすることもできる。
【００３５】
フリップチップ実装では、発光素子２０の半導体積層体側に設けられた正負一対の電極２３が、支持基板８０の上面に形成された配線（図示せず）上に接続され、基板側が蛍光体含有層３０で被覆される。つまり、フリップチップ実装では、発光素子２０の電極２３が蛍光体含有層３０で被覆されないため、支持基板８０の配線から発光装置１１への電気的接続が容易であり特に好ましい。さらに、フェースアップ実装のように発光素子２０の光出射方向にワイヤ等がないため、光の取り出しが低下しない。なお、フリップチップ実装する場合は、発光素子２０の基板には透光性を有している部材（例えばサファイア基板等）を使用するので、基板側から光を効率的に出射させることができる。
【００３６】
フェースアップ実装では、発光素子２０の基板側が支持基板８０に固定され、半導体積層体側に設けられた正負一対の電極２３と配線とが、ワイヤ等で電気的に接続される。したがって、略平坦な基板側が実装面であり、発光素子２０の実装を安定的に行うことができる。なお、フェースアップ実装では、発光素子２０の基板が不透光性を有していると、光を上方に効率的に出射させることができるため好ましい。
また、フェースアップ実装の場合、発光素子２０の半導体積層体側が蛍光体含有層３０で被覆されるので、発光素子２０への通電のために、例えば、半導体積層体から、蛍光体含有層３０を貫通してその上面３０ａまで達する導電部材を設けることができる。
【００３７】
フェースアップ実装に用いられる導電部材の形成方法として、金属バンプを用いたものの一例を示す。
まず、蛍光体含有層３０を形成する前に、半導体積層体側に設けられた発光素子２０の電極２３上に、金属バンプを形成しておく。その後に蛍光体含有層３０で半導体積層体及び金属バンプを被覆する。そして、金属バンプを覆う蛍光体含有層３０の上部を除去（例えば研磨等）することにより、金属バンプを蛍光体含有層３０の上面３０ａから露出させる。
このように蛍光体含有層３０の上面３０ａから露出した金属バンプ（導電部材）と、支持基板の配線との間を、金属製のボンディングワイヤ等で接続することにより、発光素子２０の電極２３と支持基板の配線とを電気的に接続することができる。
【００３８】
次に図７〜図９を参照しながら、本実施形態に係る発光装置１１の製造方法の一例を説明する。
【００３９】
＜工程１．蛍光体含有層３０の形成：Ｓ２０＞
発光素子２０を支持基板８０上に実装した後（図７のＳ１０）、発光素子２０の上面２０ａに、蛍光体含有層３０を形成する（図７のＳ２０）。
蛍光体含有層３０の基材３６に樹脂材料を用いる場合、硬化前の樹脂材料（すなわち、流動性を有している状態の樹脂材料）３４を、蛍光体３５を含有した状態で、発光素子２０の上面２０ａに滴下することができる（図８（ａ））。硬化前の樹脂材料３４の滴下量は、表面張力によって発光素子２０の上面２０ａ上に保持される量に調節する。その後、蛍光体３５を含有する樹脂材料３４を硬化させることにより、蛍光体含有層３０（蛍光体３５を含有する基材３６）を形成する（図８（ｂ））。このようにして得られた蛍光体含有層３０は、硬化前の液状の樹脂材料３４の表面張力を利用して形成しているので、発光素子２０の上面２０ａを被覆し、且つ上面２０ａより外側には形成されない。また、表面張力を利用して形成した蛍光体含有層３０の表面３０ｓは、略ドーム形状の湾曲面となる。その湾曲面の一部を、最終的に蛍光体含有層３０の側面３０ｃとすることができるので、蛍光体含有層３０の側面３０ｃを、金型等を使用せずに容易に凸状の曲面とすることができる。側面３０ｃの曲率等は、滴下する樹脂材料３４の量や粘度等によって調節可能である。
【００４０】
なお、予め略ドーム形状等に成形した蛍光体含有層３０を、発光素子の上面２０ａに接着剤等で配置することもできる。この場合は、側面３０ｃの曲率を任意に制御することができる点で有利である。しかしながら、薄い小型の蛍光体含有層３０の場合、予め成形した蛍光体含有層３０を発光素子２０の上面２０ａに精度よく配置するのは困難である。その点、滴下法であれば、薄い小型の蛍光体含有層３０であっても、発光素子２０の上面２０ａに精度よく配置することができる。すなわち、樹脂材料の粘度を低くすることで薄い蛍光体含有層３０を形成することが可能であり、さらに、所望の位置から若干ずれた位置に滴下した場合でも、樹脂材料の表面張力により、蛍光体含有層３０を発光素子２０の上面２０ａに留めることができる。
【００４１】
なお、予め成形した蛍光体含有層３０を配置する場合は、蛍光体含有層３０は、図１（ｂ）のように略ドーム状の断面形状（蛍光体含有層３０の断面が下面３０ｂから上面３０ａに向かって狭くなるような断面形状）に限らず、例えば、蛍光体含有層３０の断面が下面３０ｂから上面３０ａに向かって、一旦広がった後に狭くなるような断面形状にすることもできる。後者のような断面形状を有する蛍光体含有層３０を設けると、蛍光体含有層３０内に入射された光は、略ドーム形状の蛍光体含有層３０に入射された場合よりも様々な方向に反射されるので、蛍光体含有層３０内で混色されて、発光装置からの光の色むら低減の効果を発揮し得る。その他、蛍光体含有層３０の断面形状は自由に選択することができる。
【００４２】
実施形態１では、樹脂材料３４を滴下した後で樹脂材料３４を硬化させるが、その硬化工程の前に、樹脂材料３４中の蛍光体３５を、発光素子２０の上面２０ａ側に沈降させるのが好ましい。蛍光体３５の沈降の際には、静置して重力により沈降させる方法、遠心力を用いて沈降を促進させる方法、又はその他周知の様々な沈降手段を用いることができる。蛍光体３５を沈降させることにより、下面３０ｂ側に蛍光体層３１、上面３０側に透明層３２を含む蛍光体含有層３０を形成することができる（図２（ｂ）、（ｃ））。なお、蛍光体層３１の厚さを均一（図２（ｂ））又は外縁部を薄くする（図２（ｃ））等については、樹脂材料３４の滴下量や粘度等を適宜調節することにより、制御することができる。
【００４３】
また、樹脂材料３４中の蛍光体３５を発光素子２０の上面２０ａ側に沈降させると、蛍光体含有層３０内の蛍光体量の制御が容易である。具体的には、蛍光体含有層３０の上部は、後述の工程３において除去される。このとき、蛍光体含有層３０上部に蛍光体３５が分散していると、蛍光体３５の一部も一緒に除去されてしまうため、除去されずに残った蛍光体量を把握することは困難である。
【００４４】
これに対して、蛍光体３５を沈降させて、蛍光体層３１と透明層３２とを含む蛍光体含有層３０を形成することにより、後述の「工程３」で蛍光体含有層３０の上部を一部除去する際に、上部側にある透明層３２のみを除去することができる。つまり、蛍光体３５を殆ど除去しないようにすることが可能なので、蛍光体含有層３０中の蛍光体量を精度よく制御することができる（すなわち、蛍光体層３１に含有させた蛍光体量を、蛍光体含有層３０が最終的に含有する蛍光体量とすることができる）。
また、透明層３２の一部分を切削等で除去する場合、切削面（蛍光体含有層３０の上面３０ａ）に蛍光体３５が存在しない点で有利である。蛍光体３５が光出射面に露出すると、光が強く散乱されて、光の指向性が低下し得るので、バックライト用の発光装置では好ましくないとされている。よって、透明層３２のみを除去し、蛍光体含有層３０の上面３０ａに蛍光体３５が実質的に存在しないようにすることにより、蛍光体３５による散乱を抑制して、バックライト用に好適な発光装置１１を提供することができる。
【００４５】
その一方、蛍光体３５を蛍光体含有層３０に意図的に分散させておき、後述の「工程３」で蛍光体含有層３０の上部を一部除去する際に、蛍光体量を減らしてもよい。この方法は、蛍光体含有層３０を形成した後に、発光装置１１の実際の発光色を確認しながら蛍光体３５の量を調節できる点で有利である。
【００４６】
以上、蛍光体含有層３０の基材３６に樹脂を使用する場合の蛍光体含有層３０の形成方法を詳説したが、基材３６の材料は樹脂に限られず、発光素子２０上に配置が可能であり、且つ透光性を有する材料であれば任意に用いることができる。
なお、蛍光体含有層３０は滴下法以外の方法で形成されてもよい。例えば、前述のように予め所望の形状に形成した蛍光体含有層３０を、発光素子２０の上面２０ａに配置することができる。蛍光体含有層３０が蛍光体層３１と透明層３２とを含む場合には、これらを別々に形成し、それらを積層することで蛍光体含有層３０を形成することもできる。そうすることで、蛍光体層３１及び透明層３２の厚さや形状等を各々調整しやすい。また、蛍光体含有層３０はスプレーによる噴霧等で形成してもよい。そうすることで、蛍光体含有層３０を適宜所望の厚さで容易に形成することができる。特にスプレーによる噴霧では、滴下法に比べて、蛍光体含有層３０の厚さが調節しやすく、また薄い蛍光体含有層３０を形成するのが容易である。適度に薄い蛍光体含有層３０を形成することにより、後述の「工程３」で除去される蛍光体含有層３０の量を少なくし得る。よって発光装置１１の製造に必要な材料量及び製造コストを削減することができる。
【００４７】
＜２．光反射部材４０の形成：Ｓ３０、Ｓ４０＞
発光素子２０の側面２０ｃ及び蛍光体含有層３０の表面３０ｓを全て被覆する光反射部材４０を設ける。
光反射部材４０が反射膜４２と光反射性成形体４１とから成る場合には、まず、発光素子２０の側面２０ｃ及び蛍光体含有層３０の表面３０ｓを全て被覆する反射膜４２を形成する（図７のＳ３０、図８（ｃ））。反射膜４２は、例えばスパッタリング、ＣＶＤ、塗布、スプレー等の成膜法により形成することができる。
次に、発光素子２０、光反射部材４０及び支持基板８０を囲むモールド型７０を配置し、モールド型７０に、反射性物質を含有する樹脂材料３４を注入する（図９（ａ））。その後、樹脂材料３４を硬化させることにより、支持基板８０の上面８０ａと反射膜４２とを被覆する光反射性成形体４１を成型する（図７のＳ４０、図９（ｂ））。
【００４８】
なお、図７の「反射膜４２の形成」工程（Ｓ３０）の前に、「光反射性成形体４１の形成」工程（Ｓ４０）を行ってもよい。これにより、発光素子２０−光反射性成形体４１−反射膜４２の順に積層された構成（すなわち、発光素子２０と反射膜４２との間に光反射性成形体４１が配置された構成）を形成することができる。
また、「光反射性成形体４１の形成」工程（Ｓ４０）の前と後に、「反射膜４２の形成」工程（Ｓ３０）を１回ずつ、合計で２回行ってもよい。これにより、２層の反射膜４２の間に１層の光反射性成形体４１を配置した３層構造の光反射部材４０を形成することができる。前述の通り、反射膜４２は反射率の高い金属材料等を利用できるので、反射膜４２を２層含むことにより、発光素子２０からの光がさらに透過しにくい光反射部材４０を得ることができる。なお、光反射部材４０の厚さは、適宜自由に選択することができるが、薄い小型の発光装置を形成する場合、発光素子からの光を透過しない程度の厚さで、出来るだけ薄く形成されることが好ましい。
【００４９】
＜３．除去工程：Ｓ５０＞
最後に、工程Ｓ４０でモールド成型したままの光反射性成形体４１の未加工上面４１ｘを、Ｘ−Ｘ線まで除去する（図７のＳ５０）。これにより、光反射性成形体４１の上部、反射膜４２の上部及び蛍光体含有層３０の上部を除去する。それらの除去は、例えば研磨や切削等で行うことができる。この除去工程により、光反射性成形体４１の上面４１ａ、反射膜４２の上面４２ａ及び蛍光体含有層３０の上面３０ａが略面一の発光装置１１を得ることができる（図１）。
蛍光体含有層３０が蛍光体層３１と透明層３２とを含む場合、蛍光体含有層３０を除去する際には、下側に配置された蛍光体３５が実質的に除去されないように、上側に配置された透明層３２の一部が除去されるのが望ましい。よって、Ｘ−Ｘ線の位置は蛍光体層３１よりも高い位置に設定するのが望ましい。そうすることで、蛍光体３５の存在に起因する切削・研磨の抵抗が生じないため、研磨や切削等が円滑に行うことができる。また、蛍光体含有層３０の上面３０ａに蛍光体３５が実質的に存在しないように、上面３０ａを形成することができる。その他、所望の発光が得られるように、Ｘ−Ｘ線の位置は適宜設定することができる。
【００５０】
このように、光反射部材４０（光反射性成形体４１及び反射膜４２）と蛍光体含有層３０とを同時に除去して光反射部材４０の上面と蛍光体含有層３０の上面３０ａとを形成することにより、蛍光体含有層３０の側面３０ｃを全て被覆し、且つ蛍光体含有層３０の上面３０ａを光出射面として露出させるような光反射部材４０を容易に形成することができる。本実施形態では、一度の除去で所望の光出射面を露出させることができなかった場合でも、研磨や切削等を複数回行うことで発光面積や発光色を適宜調整することができる。
【００５１】
なお、上述のように蛍光体含有層３０の上面３０ａ及び光反射部材４０の上面４１ａは、研磨や切削等に起因する微細な凹凸を有し得る。特に、発光装置１１の光出射面である蛍光体含有層３０の上面３０ａが微細な凹凸を有していると、光の取り出しを向上させことができるため好ましい。本実施形態のように、蛍光体含有層３０及び光反射部材４０の上部を研磨や切削等で除去すると、蛍光体含有層３０の上面３０ａと光反射部材４０の上面４０ａとを同時に略面一上に形成でき、且つ蛍光体含有層３０の上面３０ａに、切削等に起因する微小な凹凸を形成することができるので、少ない工程数で光の取り出しを向上させることができる。
【００５２】
また、上記のように蛍光体含有層３０が滴下法により形成されている場合には、当該側面３０ｃは極めて滑らかである（つまり、表面粗さが小さい）。そのため、側面３０ｃを被覆する光反射部材４０の内面（蛍光体含有層３０と直接接している面であって、光反射面として機能する）も、側面３０ｃと同程度の滑らかな面となり、発光素子２０からの光を効率的に反射させることができる。
よって、蛍光体含有層３０は、上面３０ａの表面粗さが側面３０ｃの表面粗さよりも大きいと、側面３０ｃを覆う光反射部材４０の光反射面の光反射効率を高くしつつ、上面３０ａからの光取出しの効率を高くすることができる。
【００５３】
その一方で、蛍光体含有層３０の側面３０ｃと、光反射部材４０の内面との接着性を高めるために、意図的に側面３０ｃを粗面化してもよい。これにより、蛍光体含有層３０と光反射部材４０との密着性が向上して剥離しにくくすることができる。
その他、蛍光体含有層３０の下面３０ｂは、平坦でも凹凸を有していてもよい。
【００５４】
また、図９において、Ｘ−Ｘ線より上側は除去されるので、例えば図１０に示すように、Ｘ−Ｘ線より上側の範囲であれば、蛍光体含有層３０の表面３０ｓに光反射部材４０を設けなくてもよい。すなわち、少なくとも発光素子２０の側面２０ｃと、蛍光体含有層３０の表面３０ｓのうち工程３の後に側面３０ｃとなる範囲とを、光反射部材で被覆していればよい。これにより、使用する材料を削減し、除去作業を短縮し得る。
除去工程後、発光装置ごとに個片化することで、発光装置を完成させることができる。
【００５５】
以下に、実施形態１の各構成部材に適した材料及び寸法等について説明する。
＜発光素子２０＞
発光素子２０は、任意の波長のものを選択することができる。例えば、青色、緑色の発光素子としては、ＺｎＳｅや窒化物系半導体（ＩｎXＡｌYＧａ1-X-YＮ、０≦Ｘ、０≦Ｙ、Ｘ＋Ｙ≦１）、ＧａＰを用いたものを用いることができる。また、赤色の発光素子としては、ＧａＡｌＡｓ、ＡｌＩｎＧａＰなどを用いることができる。さらに、これ以外の材料からなる半導体発光素子を用いることもできる。
発光素子２０大きさ及び形状、１つの発光装置に含まれる発光素子２０の個数などは、目的に応じて適宜選択することができる。なお、バックライトに適した薄型の発光装置（特に、サイドビュー型発光装置）を製造する場合には、発光素子２０の発光面（上面２０ａ）が一方向に長い長方形の発光素子２０であるのが特に好ましい（図４参照）。上面視における発光素子２０の短手方向（ｙ方向）の寸法に対する長手方向（ｘ方向）の寸法の比率が大きいほど、薄型の発光装置１１にも使用でき且つ発光面積を比較的広くすることができるので好ましい。
【００５６】
＜支持基板８０＞
発光素子２０が実装される支持基板８０は、絶縁性材料から成る基体（図１２の符号８１）と、基体の表面に形成された導電性材料から成る配線（図１２の符号８２）とを含むことができる。
基体の材料としては、ガラスエポキシ、樹脂、セラミックス等の絶縁性材料が挙げられる。特に、耐熱性及び耐候性の高いセラミックスから成る基体が好ましい。セラミックス材料としては、アルミナ、窒化アルミニウム、ムライト等が好ましく、ＬＴＣＣ(low Temperature Co-fired Ceramics)を用いてもかまわない。その他、金属材料の表面を絶縁性材料で被覆した絶縁性基体を利用することもできる。
【００５７】
配線の材料としては、銅、ニッケル、パラジウム、タングステン、クロム、チタン、アルミニウム、銀、金又はそれらの合金等の金属材料が挙げられる。なお、配線は発光素子２０で発生した熱の放熱経路となり得るので、放熱性の観点から、銅又は銅合金が特に好ましい。また、任意の材料から形成した配線の表面に、銀、プラチナ、錫、金、銅、ロジウム若しくはこれらの合金から成る被膜を形成することもできる。また、銀又は銀合金から形成した配線の表面を酸化させて、配線の表面に酸化銀又は銀合金の酸化物の被膜を形成してもよい。
【００５８】
支持基板８０は、図示したような板状の構造体だけでなく、発光素子２０を収容するためのキャビティを有する構造体としてもよい。上述した光反射性成形体４１をモールド成型する際（工程Ｓ４０）に、キャビティの側壁がモールド型として機能しうるので、モールド型７０（図９（ａ））を使用せずに、光反射性成形体４１の形成を容易に行うことができる。
【００５９】
基体は、最終的に除去してもかまわない。例えば、図１２（ａ）の発光装置１４のように、支持基板８０の配線８２を残したまま、基体８１のみを除去してもよい。また、支持基板８０を有さない構成として、発光素子２０の電極２３を発光装置の電極として外部へ露出させることも可能である。
なお、図１２（ｂ）の発光装置１５では、支持基板８０の配線８２が基体８１から分離されて、発光素子２０の電極２３上に残されており、この配線８２は、発光装置１１の延伸電極として機能して、外部電極との導通に使用できる。配線８２（延伸電極）は、発光素子２０の下面２０ｂで発光素子２０の電極と接続し、そこから側面２０ｃよりも外側まで延在されている。配線８２は発光素子２０の電極２３より面積が広いので、発光素子２０で発生した熱を、電極２３を通じて外部に放熱する際に、広い面積を有する配線８２から効率的に放熱させることができる。
支持基板８０の配線８２及び発光素子２０の電極２３の形態は、任意に変更可能である。
【００６０】
＜蛍光体含有層３０＞
蛍光体含有層３０は、透光性の基材３６と、基材３６に混合された蛍光体３５とを含んでいる。
基材３６の材料としては、ガラス等の無機材料や、樹脂等の有機材料を用いることができる。特に、樹脂材料が好ましく、例えば、シリコーン樹脂、変性シリコーン樹脂、エポキシ樹脂、変性エポキシ樹脂、アクリル樹脂、また、これらの樹脂を少なくとも一種以上含むハイブリッド樹脂等の樹脂を用いることができる。
【００６１】
蛍光体３５としては、発光素子２０からの光を吸収して別の波長の光を発することのできる蛍光体であれば様々なものを用いることができる。例えば、ユーロピウム、セリウム等のランタノイド系元素で主に賦活される窒化物系蛍光体・酸窒化物系蛍光体、より具体的には、ユーロピウムで賦活されたα又はβサイアロン型蛍光体、各種アルカリ土類金属窒化シリケート蛍光体、ユーロピウム等のランタノイド系元素、マンガン等の遷移金属系元素により主に賦活されるアルカリ土類金属ハロゲンアパタイト蛍光体、アルカリ土類のハロシリケート蛍光体、アルカリ土類金属シリケート蛍光体、アルカリ土類金属ホウ酸ハロゲン蛍光体、アルカリ土類金属アルミン酸塩蛍光体、アルカリ土類金属ケイ酸塩、アルカリ土類金属硫化物、アルカリ土類金属チオガレート、アルカリ土類金属窒化ケイ素、ゲルマン酸塩、セリウム等のランタノイド系元素で主に賦活される希土類アルミン酸塩、希土類ケイ酸塩又はユーロピウム等のランタノイド系元素で主に賦活される有機物及び有機錯体等が挙げられる。特に、黄色蛍光体であるＹＡＧ系蛍光体、赤色蛍光体であるＫＳＦ、緑色蛍光体のＬＡＧ系蛍光体等が好適に用いられる。この他にも同様の性能、効果を有する蛍光体を適宜使用することができる。蛍光体は、単独又は２種類以上を混合して使用することができる。蛍光体の粒径は、例えば約１〜５０μｍの範囲のもの、好ましくは約５〜２０μｍの範囲のものが挙げられる。特に、本実施形態の製造方法では、薄い蛍光体含有層を形成するのに適しているため、小粒径の蛍光体を好適に用いることができる。
蛍光体含有層３０に含有される蛍光体３５の濃度は、発光装置１１が所望の発光色となるように調整される。蛍光体の濃度は、例えば約５〜５０％とすることができ、蛍光体含有層３０の下面側の濃度が高い方が、発光装置から出射する光が散乱しにくく、導光板に入射されやすいため好ましい。
【００６２】
蛍光体含有層３０の厚さ（正確には、上面３０ａと下面３０ｂとの間の厚さ）は、任意に設定することができ、例えば約１０〜１００μｍ程度とすることができる。特に、バックライト用の光源の場合には、約２０〜３０μｍ程度の薄い厚さで形成されると、波長変換を適切に行うことができ、且つ小型の発光装置１１を得ることができるので好ましい。
なお、１つの支持基板８０上に複数の発光素子２０を搭載する場合は、蛍光体含有層３０は、発光素子２０のそれぞれに対して形成されると好ましい。
【００６３】
＜光反射部材４０（反射膜４２、光反射性成形体４１）＞
（反射膜４２）
反射膜４２は、金属材料又は絶縁性材料等のうち、光の反射率の高いもので形成することができる。なお、絶縁性材料としては、材料自体が反射率の高いもの以外に、絶縁体多層膜も含む。各材料について以下に詳述する。
・金属材料
反射膜４２に適した金属材料としては、例えば銀、銀合金、アルミニウム、金等が挙げられる。特に、耐酸化性に優れた銀合金が好ましく、当該分野で公知の銀合金のいずれを用いてもよい。反射膜の厚さは、特に限定されるものではなく、発光素子から出射される発光を効果的に反射することができる厚さ（例えば、約２０ｎｍ〜約１μｍ）とすることができる。
【００６４】
・反射性樹脂材料
反射膜４２に適した絶縁性材料としては、樹脂材料に反射性物質を添加した反射性樹脂材料を用いることができる。硬化前の液状樹脂材料に反射性物質を添加したものを、被膜対象表面に塗布した後に硬化させることにより、反射膜４２を形成することができる。
樹脂材料としては、例えば、シリコーン樹脂、変性シリコーン樹脂、エポキシ樹脂、変性エポキシ樹脂、アクリル樹脂、また、これらの樹脂を少なくとも一種以上含むハイブリッド樹脂等の樹脂を用いることができる。
反射性物質としては、例えば、二酸化チタン、二酸化ケイ素、二酸化亜鉛、二酸化ジルコニウム、チタン酸カリウム、アルミナ、窒化アルミニウム、窒化ホウ素、ムライト、酸化ニオブ、各種希土類酸化物（例えば、酸化イットリウム、酸化ガドリニウムなどを用いることができる。反射性物質の添加量を増加することにより、反射性樹脂材料の反射率を高めることができる。好ましくは、発光素子からの発光に対する反射率が６０％以上、より好ましくは７０％、８０％又は９０％以上となるように、反射性物質の添加量を調節することができる。これにより、発光素子からの光を効率よく反射させることができる。
【００６５】
・反射性物質含有スラリー
反射膜に適した別の絶縁材料としては、反射性物質をバインダーに分散させたスラリーを用いることができる。スラリーを塗布又はスプレーにより被膜対象表面に適用した後に乾燥させることにより、反射膜４２を形成することができる。
【００６６】
・誘電体多層膜（DBR）
誘電体多層膜（DBR）は、所定波長の光を選択的に反射することができる反射膜であり、屈折率の異なる２種類の絶縁膜を所定の厚さで交互に積層した構造を有する。具体的には、任意に形成された酸化膜等からなる下地層の上に、低屈折率層と高屈折率層とを、反射すべき光の１／４波長の厚さで交互に積層することにより、当該所定波長の光を高効率で反射することができる。
絶縁膜には、Si、Ti、Zr、Nb、Ta、Alからなる群より選択された少なくとも一種の酸化物又は窒化物を用いることができ、スパッタリング又はＣＶＤにより成膜することができる。例えば、低屈折率層をSiO2、高屈折率層をNb2O5、TiO2、ZrO2又はTa2O5等とすることができる。具体的には、下地層側から順番に（Nb2O5／SiO2）n（ｎ＝２〜５）が挙げられる。
DBRの総膜厚は、約０．２〜１μｍ程度とすることができる。
【００６７】
（光反射性成形体４１）
光反射性成形体４１は、シリコーン樹脂、変性シリコーン樹脂、エポキシ樹脂、変性エポキシ樹脂、アクリル樹脂、また、これらの樹脂を少なくとも一種以上含むハイブリッド樹脂等の樹脂に反射性物質を含有させたものを用いると好ましい。
反射性物質の材料としては、例えば、酸化チタン、酸化亜鉛、二酸化ケイ素、二酸化チタン、二酸化ジルコニウム、チタン酸カリウム、アルミナ、窒化アルミニウム、窒化ホウ素、ムライトなどを用いることができる。反射性物質の添加量は、光の反射率や樹脂材料の成型性を考慮して調節することができる。例えば、比較的小さい発光装置１１の場合には、光反射性成形体４１の厚さを薄くする必要があり、その薄肉部で光の漏れを抑制するために、反射性物質の添加量を多くするのが好ましい。一方で、反射性物質の添加量が多くなると成型性が低下するため、光反射性成形体４１の成型性を考慮して添加量を適宜調整する。例えば、光反射性成形体４１中の反射性物質の濃度を約３０ｗｔ％以上、光反射性成形体４１の厚さを約２０μｍ以上とすると、光漏れを防ぎつつ成型性を維持することができる。
【００６８】
＜発光装置＞
前述のように、本実施形態に係る製造方法では、薄い小型の発光装置を効率的に製造することができる。薄型の発光装置の寸法形状の例としては、図１のような直方体の発光装置１１であって、例えば光出射面側からみて、長手方向の寸法（ｙ方向の寸法）約１．０〜４．０ｍｍ、短手方向の寸法（ｘ方向の寸法）約０．１〜０．５ｍｍ、奥行方向の寸法（ｚ方向の寸法）約０．２〜１．０ｍｍのものが挙げられる。
サイドビュー型発光装置は、発光装置の実装面に対して発光面が略垂直であり、バックライト用の光源として好適に用いることができる。しかし、それに限らず、トップビュー型発光装置（発光装置の実装面に対して発光面が略平行な発光装置）としてもよいし、適宜所望の発光装置を効率的に製造することが可能である。発光装置の形状は、略直方体、略立方体のほか、用途に合わせて適宜所望の形状とすることができる。
【００６９】
以上、本発明に係るいくつかの実施形態について例示したが、本発明は上述した実施形態に限定されるものではなく、本発明の要旨を逸脱しない限り任意のものとすることができることは言うまでもない。
【符号の説明】
【００７０】
１１、１２、１３、１４、１５  発光装置
２０  発光素子
２０ａ  上面
２０ｃ  側面
２３  電極
３０  蛍光体含有層
３０ａ  上面
３０ｂ  下面
３０ｃ  側面
３１  蛍光体層
３２  透明層
３５  蛍光体
４０  光反射部材
４１  光反射性成形体
４１ａ  上面
４２  反射膜
４２ａ  上面
３４  液状樹脂材料
７０  モールド型
８０  支持基板
８０ａ  上面
８１  基体
８２  配線
９０  バックライト
９１  導光板
【図１】
2018006780.tif 000003
【図２】
2018006780.tif 000004
【図３】
2018006780.tif 000005
【図４】
2018006780.tif 000006
【図５】
2018006780.tif 000007
【図６】
2018006780.tif 000008
【図７】
2018006780.tif 000009
【図８】
2018006780.tif 000010
【図９】
2018006780.tif 000011
【図１０】
2018006780.tif 000012
【図１１】
2018006780.tif 000013
【図１２】
2018006780.tif 000014